(57)【特許請求の範囲】
【請求項１】
頭髪をまとめ髪スタイルに形成する際に使用され、髪の留め付けを行うヘアピンの刺し込みおよび抜き取りが容易で、かつその刺し込みにより髪留めできる強度を備える合成樹脂発泡材からなり、前記ヘアピンにより髪留めできる巻きつけ厚みとなるように毛束に巻きつけて設置されるまとめ髪用芯台であって、
全体が長尺形状体に形成され、肉厚Ｄと高さＨとが、１対１から１対２０の範囲となるように形成されると共に、前記長尺形状体は、その長手方向に沿って交互に凹凸を繰り返すように形成されることを特徴とするまとめ髪用芯台。
【請求項２】
頭髪をまとめ髪スタイルに形成する際に使用され、髪の留め付けを行うヘアピンの刺し込みおよび抜き取りが容易で、かつその刺し込みにより髪留めできる強度を備える合成樹脂発泡材からなり、前記ヘアピンにより髪留めできる巻きつけ厚みとなるように毛束に巻きつけて設置されるまとめ髪用芯台であって、
全体が長尺形状体に形成され、肉厚Ｄと高さＨとが、１対１から１対２０の範囲となるように形成されると共に、前記長尺形状体は、その長手方向に平行となるように一端から他端に凹凸を繰り返し形成されることを特徴とするまとめ髪用芯台。
【請求項３】
頭髪をまとめ髪スタイルに形成する際に使用され、髪の留め付けを行うヘアピンの刺し込みおよび抜き取りが容易で、かつその刺し込みにより髪留めできる強度を備える合成樹脂発泡材からなり、前記ヘアピンにより髪留めできる巻きつけ厚みとなるように毛束に巻きつけて設置されるまとめ髪用芯台であって、
全体が長尺形状体に形成されると共に、前記長尺形状体は、円形な断面形状を有することを特徴とするまとめ髪用芯台。
【請求項４】
頭髪をまとめ髪スタイルに形成する際に使用され、髪の留め付けを行うヘアピンの刺し込みおよび抜き取りが容易で、かつその刺し込みにより髪留めできる強度を備える合成樹脂発泡材からなり、前記ヘアピンにより髪留めできる巻きつけ厚みとなるように毛束に巻きつけて設置されるまとめ髪用芯台であって、
全体が長尺形状体に形成され、肉厚Ｄと高さＨとが、１対１から１対２０の範囲となるように形成されると共に、前記長尺形状体は、中央が凹んでいる断面形状を有することを特徴とするまとめ髪用芯台。
【請求項５】
頭髪をまとめ髪スタイルに形成する際に使用され、髪の留め付けを行うヘアピンの刺し込みおよび抜き取りが容易で、かつその刺し込みにより髪留めできる強度を備える合成樹脂発泡材からなり、前記ヘアピンにより髪留めできる巻きつけ厚みとなるように毛束に巻きつけて設置されるまとめ髪用芯台であって、
全体が長尺形状体に形成され、肉厚Ｄと高さＨとが、１対１から１対２０の範囲となるように形成されると共に、前記長尺形状体は、片側に膨出している断面形状を有することを特徴とするまとめ髪用芯台。
【請求項６】
頭髪をまとめ髪スタイルに形成する際に使用され、髪の留め付けを行うヘアピンの刺し込みおよび抜き取りが容易で、かつその刺し込みにより髪留めできる強度を備える合成樹脂発泡材からなり、前記ヘアピンにより髪留めできる巻きつけ厚みとなるように毛束に巻きつけて設置されるまとめ髪用芯台であって、
全体が長尺形状体に形成されると共に、前記長尺形状体は、その断面形状が楕円形状であることを特徴とするまとめ髪用芯台。
【発明の詳細な説明】
【０００１】
【発明の属する技術分野】
本発明は、まとめ髪スタイルを形成する際に使用されるまとめ髪用芯台およびその使用方法に係り、特に、まとめ髪スタイルに合わせて最適に設置することができるまとめ髪用芯台およびその使用方法に関する。
【０００２】
【発明の属する技術分野】
本発明は、まとめ髪スタイルを形成する際に使用されるまとめ髪用芯台に係り、特に、まとめ髪スタイルに合せて最適に設置することができるまとめ髪用芯台に関する。
【０００３】
また、芯台５０の使用形態としては、切割５２の部分が筒状本体５１側に重なり合うようにして使用すること（図６（ａ）参照）や、また、図６（ｂ）に示すように、毛束の根元に装着した一方の芯台５０に重ねて他の芯台５０を装着して使用することも行われていた。
【０００４】
【発明が解決しようとする課題】
しかし、従来の芯台の構成では、以下に示すような更なる改良をする部分が存在した。すなわち、芯台は、円筒状に構成されているため、形成するスタイルに合わせて巻き付け厚みや、巻き付け高さなど、大雑把な調整はできても、適切な調整を行うことができなかった。また、円筒形の芯台では単一体の一つ一つのものを組付けて巻き付け高さの調整を行うため、それぞれのものを接続する作業が必要になった。
【０００５】
本発明は、前記の問題点に鑑み創案されたものであり、まとめ髪スタイルを形成する場合に、芯台の操作性に優れ、形成するスタイルに対応して適切な巻きつけ高さおよび巻きつけ厚さの調整を行うことができるまとめ髪用芯台を提供することを目的とする。
【０００６】
【課題を解決するための手段】
本発明は、前記課題を解決するため、つぎのように構成した。すなわち、まとめ髪用芯台は、頭髪をまとめ髪スタイルに形成する際に使用され、髪の留め付けを行うヘアピンの刺し込みおよび抜き取りが容易で、かつその刺し込みにより髪留めできる強度を備える合成樹脂発泡材からなり、前記ヘアピンにより髪留めできる巻きつけ厚みとなるように毛束に巻きつけて設置するまとめ髪用芯台であって、全体が長尺形状体に形成され、肉厚Ｄと高さＨとが、１対１から１対２０の範囲となるように形成されると共に、前記長尺形状体は、その長手方向に沿って交互に凹凸を繰り返すように形成されるまとめ髪用芯台とした。
【０００７】
このように構成することで、まとめ髪用芯台は、形成するスタイルに対応して、巻きつけ厚さおよび巻きつけ高さを調整し、あらかじめ一定の長さに形成することや、また、毛束に対して巻きつけた後、不要部分を切断して使用することもできる。さらに、前記まとめ髪用芯台は、長尺形状体の長手方向に沿って交互に形成した凹凸が互いに係合し合うことができる。
【０００８】
また、頭髪をまとめ髪スタイルに形成する際に使用され、髪の留め付けを行うヘアピンの刺し込みおよび抜き取りが容易で、かつその刺し込みにより髪留めできる強度を備える合成樹脂発泡材からなり、前記ヘアピンにより髪留めできる巻きつけ厚みとなるように毛束に巻きつけて設置されるまとめ髪用芯台であって、全体が長尺形状体に形成され、肉厚Ｄと高さＨとが、１対１から１対２０の範囲となるように形成されると共に、前記長尺形状体は、その長手方向に平行となるように一端から他端に凹凸を繰り返し形成されまとめ髪用芯台とした。
このように構成することで、芯台を毛束に巻きつける場合、特に、上下方向に渡って巻きつける場合に凹凸が係合し合うことができ都合が良い。
【０００９】
さらに、まとめ髪用芯台は、頭髪をまとめ髪スタイルに形成する際に使用され、髪の留め付けを行うヘアピンの刺し込みおよび抜き取りが容易で、かつその刺し込みにより髪留めできる強度を備える合成樹脂発泡材からなり、前記ヘアピンにより髪留めできる巻きつけ厚みとなるように毛束に巻きつけて設置されるまとめ髪用芯台であって、全体が長尺形状体に形成されると共に、前記長尺形状体は、円形な断面形状を有するものした。
【００１０】
そして、まとめ髪用芯台は、頭髪をまとめ髪スタイルに形成する際に使用され、髪の留め付けを行うヘアピンの刺し込みおよび抜き取りが容易で、かつその刺し込みにより髪留めできる強度を備える合成樹脂発泡材からなり、前記ヘアピンにより髪留めできる巻きつけ厚みとなるように毛束に巻きつけて設置されるまとめ髪用芯台であって、全体が長尺形状体に形成され、肉厚Ｄと高さＨとが、１対１から１対２０の範囲となるように形成されると共に、前記長尺形状体は、中央が凹んでいる断面形状を有するものとした。
【００１１】
また、まとめ髪用芯台は、頭髪をまとめ髪スタイルに形成する際に使用され、髪の留め付けを行うヘアピンの刺し込みおよび抜き取りが容易で、かつその刺し込みにより髪留めできる強度を備える合成樹脂発泡材からなり、前記ヘアピンにより髪留めできる巻きつけ厚みとなるように毛束に巻きつけて設置されるまとめ髪用芯台であって、全体が長尺形状体に形成され、肉厚Ｄと高さＨとが、１対１から１対２０の範囲となるように形成されると共に、前記長尺形状体は、片側に膨出している断面形状を有するとした。
【００１２】
さらに、まとめ髪用芯台は、頭髪をまとめ髪スタイルに形成する際に使用され、髪の留め付けを行うヘアピンの刺し込みおよび抜き取りが容易で、かつその刺し込みにより髪留めできる強度を備える合成樹脂発泡材からなり、前記ヘアピンにより髪留めできる巻きつけ厚みとなるように毛束に巻きつけて設置されるまとめ髪用芯台であって、全体が長尺形状体に形成されると共に、前記長尺形状体は、その断面形状が楕円形状であるものとした。
【００１４】
【発明の実施の形態】
以下、本発明の実施の形態を、図面を参照して説明する。
図１はまとめ髪用芯台を示す斜視図、図２はまとめ髪用芯台を頭髪に取り付ける状態を示す斜視図、図３（ａ），（ｂ），（ｃ），（ｄ）はまとめ髪用芯台によりまとめ髪スタイルを形成する際の手順を示す模式図、図４はまとめ髪用芯台を頭髪に巻きつけた状態の応用例を示す断面図、図５（ａ），（ｂ），（ｃ），（ｄ），（ｅ），（ｆ），（ｇ）はまとめ髪用芯台の他の構成を示す断面図である。
【００１５】
図１に示すように、まとめ髪用芯台１は、留め付けを行うアメリカピンやＵ字ピンなどのヘアピン１５の刺し込みおよび抜き取りが容易で、かつその刺し込みにより髪留めできる強度を備えると共に、容易に折り曲げることができる柔軟性を有する合成樹脂発泡材からなり、肉厚Ｄおよび高さＨの断面形状で長さＬの長尺形状体に形成されている。図１では、まとめ髪用芯台１が扁平な長方形となる断面形状を備えるように形成されている。なお、まとめ髪用芯台１は、ここでは長尺形状体として説明するが、ヘアピン１０により髪留めできる巻きつけ厚さに毛束１０に巻きつけることのできる形状体であれば、特に限定されるものではない。
【００１６】
図１および図２に示すように、まとめ髪用芯台１は、その芯台２の長さＬがあらかじめ一定の長さ寸法として特定される構成とすることや、また、使用者が都合の良い長さに作業時に切り取って使用する構成としても良いもので特に寸法を限定されるものではない。
【００１７】
まとめ髪用芯台１の毛束に巻きつけてヘアピンを突き刺し髪留めできる巻き付け厚さの設定は、肉厚Ｄにもよるが、例えば肉厚Ｄを１ｍｍとしたとき、ヘアピン１５の突き刺さる厚みが３ｍｍ以上であれば良い。したがって、ヘアピン１５が毛束１０の手前と奥側の二箇所でまとめ髪芯台１に突き刺さる状態となれば、毛束１０の同一巻きつけ面に２周以上巻きつけていれば良い。また、肉厚Ｄが４ｍｍとした場合は、毛束１０の同一巻きつけ面に１周以上巻きつければ良い。
【００１８】
なお、まとめ髪用芯台１の肉厚Ｄは、１ｍｍ以上であれが都合が良く、１ｍｍより薄くなると強度が確保できず、毛束１０に巻き付け難い。もちろん、１ｍｍより薄くても合成樹脂発泡材の粘度や発泡密度を調整することで強度が確保できる材料であれば構わない。また、まとめ髪用芯台１の肉厚Ｄは、形成するまとめ髪スタイルにより大きなボリュウムが必要であれば、特に最大厚さの数値は限定されるものではないが、一般的な美容室や理容室で形成されるまとめ髪スタイルを考慮すると３０ｍｍ程度あれば十分対応できる。
【００１９】
そして、まとめ髪用芯台１の標準的な肉厚Ｄは、２ｍｍから８ｍｍの範囲内で形成されると操作性およびヘアピン１５による留付状態が良好で使用し易く、４ｍｍから６ｍｍの範囲であれば、一般的な美容室や理容室で形成されるまとめ髪スタイルであれば最適な厚みである。
【００２０】
まとめ髪用芯台１の高さＨの寸法は、肉厚Ｄを１としたときに、１対１（断面形状が円または正多角形あるいは星型等）から１対２０の範囲となるように構成すれば、一般的なまとめ髪スタイルに対応することができる。図１では、肉厚Ｄを３ｍｍとしたとき、高さＨの寸法を１８ｍｍ（１対６）とした。なお、まとめ髪用芯台１の高さＨの寸法は、１０ｍｍから１００ｍｍの範囲であれば、特殊なまとめ髪スタイル以外は対応することができる。
【００２１】
まとめ髪用芯台１は、長尺形状体に構成しているので高さ方向で毛束１０に巻きつける場合、巻きつけ高さや、巻きつけ厚さの微妙な調整を作業者の技術に合わせて自在に行うことができることになる。
【００２２】
つぎに、図３を参照してまとめ髪用芯台１の作用を説明する。
まとめ髪用芯台１は、図３（ａ）に示すように、はじめに頭髪の毛束１０の根元にその一端を手指で添わせ連続して巻きつける。このとき、毛束１０の根元側を輪ゴム（図示せず）で留付ける必要があれば、その作業を行う。また、まとめ髪用芯台１の巻きつけにより毛束１０が十分まとまる強さに巻きつけられる毛束１０の太さであれば、輪ゴムを必要としない。
【００２３】
図３（ｂ）に示すように、まとめ髪用芯台１を毛束１０に留付ける場合は、ヘアピン１５（Ｕ字ピン）により毛束１０に設置する。このとき、まとめ髪用芯台１の巻きつけ厚さがさらに必要な場合は、他のまとめ髪用芯台１を更に巻きつけることになる（図示せず）。なお、まとめ髪用芯台１を設置する前あるいは設置した後に、毛束１０のベースとなる位置にアメリカピン（図６参照）により頭皮に近い位置にまとめ髪用芯台１を固定できるように留付ける。
【００２４】
まとめ髪用芯台１の巻きつけ状態は、図３では、一例として高さ方向に連続して２列（２段）となるように設置している。そして、図３（ｃ）に示すように、まとめ髪用芯台１が設置されると、毛束１０の上部側をそのまとめ髪用芯台１の周りに回しつけ、所定位置にヘアピン１５によりその毛束の１０の状態を維持できるように留付けることで、まとめ髪スタイルの芯部分を形成する。なお、このとき、必要に応じて他の位置の頭髪をまとめ髪用芯台１に留めつけてボリュウムを大きくする構成とすることや、また、合成繊維の梳毛（図示せず）を入れて調整しても良い。
【００２５】
図３（ｄ）に示すように、まとめ髪用芯台１によりヘアスタイルの芯部分が形成されると、あとは、形成するヘアスタイルになるように、順次、他の位置にある（ネープ、クラウン等の位置）髪の毛を、まとめ髪用芯台１側に持ち上げ、リングコームやブラシを使用して形を整えながら適切な状態で、その髪の毛の所定位置を維持できるようにヘアピン１５を適宜まとめ髪用芯台１に向かって刺し込み髪留めする。
【００２６】
そして、前記操作を繰り返し行い最終的なまとめ髪スタイルに仕上げる。このように、まとめ髪スタイルを形成する場合に、作業がし易く、ヘアピンを刺し込んだ位置で毛髪を確実に留め付けることができるため、ヘアスプレーを必要以上に吹きかける必要もなく、思い通りのヘアスタイルに形成することが可能となる。
【００２７】
また、まとめ髪用芯台１は、ヘアスタイルに対応させ、その巻きつけ高さ、および巻きつけ厚みを自在に調整できるため、作業者の技術に合わせて適切な仕上げとなるように操作することが可能となる。さらに、まとめ髪用芯台１の巻きつけ厚さや、巻きつけ高さを調整する場合には、作業者のニーズに合わせて微妙な調整を行うことができるため操作性に優れている。
【００２８】
なお、図４（ａ）に示すように、まとめ髪用芯台１は、その巻きつけ面同士が当接せずに空間７を開けた状態となるように巻きつけることで、巻きつけ厚さ方向のボリュウム調整を行うこともできる。このとき、必要があれば、適宜ヘアピン１５を刺し込み空間７を形成するようにしても良い。
【００２９】
また、図４（ｂ）に示すように、まとめ髪用芯台１は、高さ方向に巻きつけ厚さを変化させて毛束１０に巻きつける場合においても、巻きつけ厚さの調整を行いながら毛束１０に巻きつけることもできる。図４（ｂ）では、毛束１０の基端側に巻きつけ厚さを大きくし、上方に向かうにしたがってその巻きつけ厚さを小さくするように設置している。このとき、まとめ髪用芯台１は、毛束１０の上から基端側に向かって巻きつけている。もちろん、まとめ髪用芯台１の巻き始めは、毛束１０のどの位置からどちらの方向にも自在に巻きつけることができ、かつ、所定位置での巻きつけ厚さや、巻きつけ高さを自在に調整することができる。
【００３０】
図５（ａ）〜（ｆ）に示すように、各まとめ髪用芯台１ａ〜１ｆは、適切にまとめ髪スタイルを作成するときに芯台として操作性良く使用できるもので、図５（ａ）〜（ｆ）で示すものが適している。なお、まとめ髪用芯台１の他の構成を一例として示し図１ないし図３ですでに説明した構成については省略する。
【００３１】
図５（ａ）ないし図５（ｄ）に示すように、長尺形状体に形成された各まとめ髪用芯台１ａ〜１ｄは、その断面形状が楕円形状であったり、円形であったり、中央が凹んでいる形状であったり、あるいは、片側に膨出している形状とした。
【００３２】
また、図５（ｅ）に示すように、長尺形状体に形成されたまとめ髪用芯台１ｅは、長手方向に対して交互に凹３ｅ、凸２ｅを繰り返すように構成されている。なお、凹３ｅ、凸２ｅは、緩やかな曲線の波形状となるように図面では示しているが、四角や三角の波形状となるようにすることや、エンボス状の小さな凹凸が側面に形成される構成としても良い。
【００３３】
なお、図５（ｅ）では、側面方向に凹３ｅ、凸２ｅを形成した例を示したが、上下方向に凹凸（図示せず）を備える構成としても良い。凹凸が上下方向に形成されることで、まとめ髪用芯台を毛束に設置したとき、頭皮側にそのまとめ髪用芯台が接触しても接触部分が小さいため、蒸れることを最小限に抑えることができる利点がある。
【００３４】
このように、まとめ髪用芯台１ｅは、凹３ｅ、凸２ｅを有しているため、巻きつけ面で内側と外側になる位置の凹３ｅ、凸２ｅを嵌合するように、巻きつけ面を合わせて空間を開けることなく巻きつけることや、また、巻きつけ面で内側と外側になる凹３ｅ、凸２ｅの位置をずらして巻きつけることで、巻きつけ面に空間を開けるように設置することもできる。
【００３５】
さらに、図５（ｆ）に示すように、長尺形状体に形成されたまとめ髪用芯台１ｆは、その長手方向に平行な凹３ｆ、凸２ｆを有するように構成されている。この凹３ｆ、凸２ｆは、緩やかな曲線の波形状となるように図面では示しているが、四角や三角の波形状となるように形成しても良い。
【００３６】
このように、まとめ髪用芯台１ｆは、凹３ｆ、凸２ｆを有しているため、高さ方向にらせん状に巻きつける場合、互いに凹３ｆ、凸２ｆが係合するため、まとめ髪用芯台１ｆが毛束１０（図２参照）に対して安定して設置でき都合が良い。
【００３７】
そして、まとめ髪用芯台は、その内部に空洞部（図示せず）を備える構成としてもよい。空洞部を備える構成とすることで、毛束１０に巻きつける場合に、その巻きつけ加減によってボリュウムの調整を行うことができ都合が良い。なお、空洞部は、連続して形成される構成としても良く、さらに、間欠的に配置される構成としても良い。そして、空洞部は、密閉されている必要はない。また、前記した他の構成のまとめ髪芯台１ａ、１ｃ〜１ｆに空洞部を形成する構成としても構わない。まとめ髪用芯台は、長尺形状体の内部に空洞部（図示せず）を有する構成とすることで、毛束に巻きつける場合に巻きつけ強さによって、まとめ髪用芯台のボリュウム状態を調整することができ操作性に優れている。
【００３８】
なお、前記したまとめ髪用芯台は、ヘアピンの刺し込みおよび抜き取りが容易で、かつその刺し込みにより髪留めできる強度を備えると共に、容易に折り曲げることのできる柔軟性を有する合成樹脂発泡材を平面形状に形成し、必要に応じて帯び状、紐状などにはさみで切り取り使用する構成としても良い。さらに、巻きつけ厚さを調整する場合に都合の良いまとめ髪用芯台の長さは、毛束の同一巻きつけ面に２周以上巻きつけることでヘアピンにより髪留めできる巻きつけ厚さを有する構成である。
【００３９】
【発明の効果】
本発明は、以上のように構成しているため以下の優れた効果を奏する。
（１）まとめ髪用芯台は、毛束にヘアピンにより髪留めできる巻きつけ厚さを設けるように巻きつけて使用するため、作業者がまとめ髪用芯台を毛束に取り付ける場合の操作性に優れると共に、必要とする巻きつけ高さや、巻きつけ厚さを自在に調整することができる。そのため、作業者の要望に沿ったまとめ髪スタイルのボリュウムを自在に形成することができ操作性に優れている。
【００４０】
（２）まとめ髪用芯台は、全体を長尺形状体に形成しているため、まとめ髪用芯台をあらかじめ一定の長さに形成することや、また、毛束に巻きつけ、不要部分を切断して使用することもできる。そのため、作業者は、まとめ髪スタイルに対応させてまとめ髪用芯台のボリュウムを調整することが可能となる。
【００４１】
（３）まとめ髪用芯台は、長尺形状体の長手方向に沿って交互に凹凸を繰り返すように形成することで、その凹凸が互いに係合して毛束に対して安定して設置することができる。さらに、まとめ髪用芯台は、その凹凸をずらした状態で巻きつけることで、所定位置に空間を開けた状態で毛束に巻きつけることができる。そのため、まとめ髪用芯台は、巻きつけ方向にずれることなく設置でき、かつ、操作性を広げることができる。
【００４２】
また、まとめ髪用芯台は、長尺形状体の長手方向に平行となるように一端から他端に凹凸を繰り返すように構成することで、毛束に巻きつける際に、その凹凸が互いに係合して毛束に対して安定して設置することができ、特に、毛束の高さ方向に巻きつける場合に、その凹凸が互いに係合して上下方向の設置ずれがない状態で毛束に安定して設置でき操作性に優れている。
【図面の簡単な説明】
【図１】本発明のまとめ髪用芯台を示す斜視図である。
【図２】まとめ髪用芯台を頭髪に取り付ける状態を示す斜視図である。
【図３】（ａ），（ｂ），（ｃ），（ｄ）は、本発明のまとめ髪用芯台によりまとめ髪スタイルを形成する際の手順を示す模式図である。
【図４】（ａ），（ｂ）は、本発明のまとめ髪用芯台を頭髪に巻きつけた状態の応用例を示す断面図、および斜視図である。
【図５】（ａ），（ｂ），（ｃ），（ｄ），（ｅ），（ｆ），（ｇ）は、本発明のまとめ髪用芯台の他の構成を示す断面図である。
【図６】（ａ），（ｂ）は、従来のまとめ髪用芯台の斜視図である。
【符号の説明】
１，１ａ，１ｂ，１ｃ，１ｄ，１ｅ，１ｆ，１ｇ      まとめ髪用芯台
２ｅ，２ｆ      凸
３ｅ，３ｆ      凹
４ｇ            空洞部
１０            毛束
１５            ヘアピン
Ｄ              肉厚
Ｈ              高さ
Ｌ              長さ
【図１】
0003621863.tif 000002
【図２】
0003621863.tif 000003
【図３】
0003621863.tif 000004
【図４】
0003621863.tif 000005
【図５】
0003621863.tif 000006
【図６】
0003621863.tif 000007